(57)【要約】【課題】ネットワークの状態によって携帯用端末機のＤＳＰ使用量を自動的に調整することで、携帯用端末機を自動的に最適の状態に設定して、使用者に安定的な通信サービスを提供する携帯用端末機のＤＳＰ使用量調整方法及びその装置を提供しようとする。【解決手段】ネットワークから受信レベルデータ及び受信品質データを受信する段階と、それら受信された受信レベルデータの値及び受信された受信品質データの値を予め格納された基準値と比較して、その比較結果に基づいて現在のＤＳＰ（Ｄｉｇｉｔａｌ　ｓｉｇｎａｌ　ｐｒｏｃｅｓｓｉｎｇ）の使用量を調整する（ａｄｊｕｓｔｉｎｇ）段階と、を順次行って携帯用端末機のＤＳＰ使用量を調整する。【選択図】　図１
2004007404.tif 000002
【特許請求の範囲】
【請求項１】
ネットワークから受信レベルデータ及び受信品質データを受信する段階と、
それら受信された受信レベルデータの値及び受信された受信品質データの値を予め格納された基準値と比較して、その比較結果に基づいて現在のＤＳＰ（Ｄｉｇｉｔａｌ　ｓｉｇｎａｌ　ｐｒｏｃｅｓｓｉｎｇ）の使用量を調整する（ａｄｊｕｓｔｉｎｇ）段階と、
を順次行うことを特徴とする携帯用端末機のＤＳＰ使用量調整方法。
【請求項２】
前記現在のＤＳＰの使用量を調整する段階は、
前記ＤＳＰの最大使用量を予め格納する段階と、
前記現在のＤＳＰの使用量を前記予め格納されたＤＳＰの最大使用量以下に調整する段階と、
を順次行うことを特徴とする請求項１記載の携帯用端末機のＤＳＰ使用量調整方法。
【請求項３】
前記現在のＤＳＰの使用量を調整する段階は、前記比較結果に基づいてネットワーク環境が不安定な状態（ｕｎｓｔａｂｌｅ　ｓｔａｔｅ）と判断されると、各資源による前記現在のＤＳＰの使用量を調整する段階を行うことを特徴とする請求項１記載の携帯用端末機のＤＳＰ使用量調整方法。
【請求項４】
前記現在のＤＳＰの使用量を調整する段階は、
前記比較結果に基づいてネットワーク環境が不安定な状態（ｕｎｓｔａｂｌｅｓｔａｔｅ）と判断されると、各資源による前記現在のＤＳＰの使用量を計算する段階と、
その計算されたＤＳＰの使用量を予め格納されたＤＳＰの最大使用量以下に調整する段階と、
を順次行うことを特徴とする請求項１記載の携帯用端末機のＤＳＰ使用量調整方法。
【請求項５】
前記現在のＤＳＰの使用量は、ｎ個の資源によるＤＳＰの標準使用量を順次合わせた値を待機状態のＤＳＰの使用量と合わせた値であることを特徴とする請求項１記載の携帯用端末機のＤＳＰ使用量調整方法。
【請求項６】
前記現在のＤＳＰの使用量を調整する段階は、
受信レベルの第１基準値、受信品質の第２基準値、待機状態におけるＤＳＰの使用量及び前記ＤＳＰの最大使用量を予め設定して格納する段階と、
前記受信レベルデータ値が前記第１基準値より小さいか、または前記受信品質データ値が前記第２基準値より大きいと、各資源によるＤＳＰの使用量を計算する段階と、
その計算されたＤＳＰ使用量と前記予め格納された待機状態におけるＤＳＰの使用量とを合算して、前記現在のＤＳＰの使用量を計算する段階と、
その計算された現在のＤＳＰの使用量を前記予め格納されたＤＳＰの最大使用量以下に調整する段階と、
を順次行うことを特徴とする請求項１記載の携帯用端末機のＤＳＰ使用量調整方法。
【請求項７】
前記現在のＤＳＰの使用量は、ｎ個の資源によるＤＳＰの標準使用量を順次合わせた値を前記待機状態のＤＳＰの使用量と合わせた値であることを特徴とする請求項６記載の携帯用端末機のＤＳＰ使用量調整方法。
【請求項８】
受信レベル及び受信品質に対する基準値を予め格納する格納部と、
ネットワークから受信レベルデータ及び受信品質データを受信する無線通信部と、
それら受信された受信レベルデータ及び受信品質データを前記予め格納された基準値と比較して、その比較結果に基づいて各資源による現在のＤＳＰの使用量を調整するマイクロコンピューターと、
を含んで構成されることを特徴とする携帯用端末機のＤＳＰ使用量調整装置。
【請求項９】
前記マイクロコンピューターは、前記比較結果に基づいてネットワーク環境が不安定な状態（ｕｎｓｔａｂｌｅ　ｓｔａｔｅ）と判断されると、各資源に対する前記現在のＤＳＰの使用量を調整する段階を行うことを特徴とする請求項８記載の携帯用端末機のＤＳＰ使用量調整装置。
【請求項１０】
前記格納部は、待機状態のＤＳＰの使用量、前記ＤＳＰの最大使用量を更に予め格納することを特徴とする請求項８記載の携帯用端末機のＤＳＰ使用量調整装置。
【請求項１１】
前記マイクロコンピューターは、前記比較結果に基づいてネットワーク環境が不安定な状態（ｕｎｓｔａｂｌｅ　ｓｔａｔｅ）と判断されると、ｎ個の資源によるＤＳＰの標準使用量を順次合わせて前記現在のＤＳＰの使用量を計算し、その計算された現在のＤＳＰの使用量を前記予め格納されたＤＳＰの最大使用量以下に調整することを特徴とする請求項１０記載の携帯用端末機のＤＳＰ使用量調整装置。
【請求項１２】
前記マイクロコンピューターは、前記受信レベルデータ値が前記受信レベルに対する基準値より小さいか、または、前記受信品質データ値が前記受信品質に対する基準値より大きいと、前記各資源によるＤＳＰの使用量を計算し、その計算されたＤＳＰ使用量と前記予め格納された待機状態におけるＤＳＰの使用量とを合算して前記現在のＤＳＰの使用量を計算し、その計算された現在のＤＳＰの使用量を前記予め格納されたＤＳＰの最大使用量以下に調整することを特徴とする請求項１０記載の携帯用端末機のＤＳＰ使用量調整装置。
【請求項１３】
前記マイクロコンピューターは、
前記受信レベルデータの値と第１基準値とを比較し、前記受信品質データの値と第２基準値とを比較し、その比較結果を出力する比較器と、
その比較結果に基づいて前記受信レベルデータの値が前記第１基準値より小さいか、または、前記受信品質データの値が前記第２基準値より大きいと、資源によるＤＳＰの使用量を計算する使用量計算部と、
前記待機状態のＤＳＰの使用量と前記使用量計算部から計算されたＤＳＰの使用量とを合算して、前記現在のＤＳＰ使用量を計算する足し算器と、
該足し算器から計算された現在のＤＳＰの使用量を前記予め格納されたＤＳＰの最大使用量以下に調整する使用量調整部と、
から構成されることを特徴とする請求項１０記載の携帯用端末機のＤＳＰ使用量調整装置。
【請求項１４】
前記現在のＤＳＰの使用量は、ｎ個の資源によるＤＳＰの標準使用量を順次合わせた値であることを特徴とする請求項８記載の携帯用端末機のＤＳＰ使用量調整装置。
【発明の詳細な説明】
【０００１】
【発明の属する技術分野】
本発明は、携帯用端末機（ｈａｎｄｈｅｌｄ　ｔｅｒｍｉｎａｌ）に係るもので、詳しくは、携帯用端末機の資源（ｒｅｓｏｕｒｃｅ）によるＤＳＰ（Ｄｉｇｉｔａｌ　ｓｉｇｎａｌ　ｐｒｏｃｅｓｓｉｎｇ）の使用量（Ｕｓａｇｅ）を最適化（ｏｐｔｉｍｉｚａｔｉｏｎ）する方法及びその装置に関するものである。
【０００２】
【従来の技術】
一般に、携帯用端末機には、資源（ｒｅｓｏｕｒｃｅ）を使用するための基本値が設定されている。即ち、前記携帯用端末機の性能（ｐｅｒｆｏｒｍａｎｃｅ）は、前記設定された基本値の範囲のみで固定的に発揮される。また、前記携帯用端末機は、ネットワークとの相互通信により相互の能力（ｃａｐａｂｉｌｉｔｙ）を交渉（ｎｅｇｏｔｉａｔｉｏｎ）する。
【０００３】
一方、前記携帯用端末機の基本値がネットワークで支援する能力（ｃａｐａｂｉｌｉｔｙ）と異なる場合、前記携帯用端末機は、ネットワークとの交渉過程を通して前記基本値を予め設定された値に調整する。
【０００４】
従って、前記携帯用端末機は、ネットワークとの交渉（ｎｅｇｏｔｉａｔｉｏｎ）過程を通して、プロトコル（ｐｒｏｔｏｃｏｌ）によってネットワーク環境が安定しているか否かをリアルタイムで点検して、流動的にデータの伝送速度を調整することができる。然し、前記データの伝送速度を調整する動作は、ただ、ネットワーク自体の能力を基準に遂行されていて、前記携帯用端末機自体の資源を効率的に使用するための方法は考慮されてない。
【０００５】
通常、ネットワークにおいては、測定結果（ｍｅａｓｕｒｅｍｅｎｔ　ｒｅｐｏｒｔ）を参照して無線チャンネル（ｒａｄｉｏ　ｃｈａｎｎｅｌ）を点検し、その点検結果を参照して、制限された資源を効率的に管理するためにフルレート（ｆｕｌｌ　ｒａｔｅ）またはハーフレート（ｈａｌｆ　ｒａｔｅ）のチャンネル（ｃｈａｎｎｅｌ）を割り当てる。例えば、ネットワークの伝送状態が不安定な場合、ネットワークでは、より多くの使用者を受け入れるために前記ハーフレート（ｈａｌｆ　ｒａｔｅ）を割り当てる。即ち、従来には、ネットワークの性能によってデータ速度を調整する場合も、携帯用端末機自体の資源を効率的に使用するための過程は考慮されてなかった。
【０００６】
従って、従来には、携帯用端末機がフルレート（ｆｕｌｌ　ｒａｔｅ）のみを支援する場合、ネットワークが不安定な状態だとしても、前記携帯用端末機の処理性能（ｐｅｒｆｏｒｍａｎｃｅ）は既存のアルゴリズムに固定された資源のみを使用するようになる。この場合、前記携帯用端末機は、自体の資源を効率的に使用するために、ＤＳＰ（Ｄｉｇｉｔａｌ　ｓｉｇｎａｌ　ｐｒｏｃｅｓｓｉｎｇ）の使用量（ｕｓａｇｅ）を基準に自体の資源を割り当てる（ａｌｌｏｃａｔｉｏｎ）。
【０００７】
然し、従来の携帯用端末機は、ＤＳＰが処理し得る能力以上の条件である場合、処理量（ｔｈｒｏｕｇｈｐｕｔ）が減少するだけでなく、ネットワークが不安定な場合、通話音質が低下したり、または、通話不能状態になる事もあり、延いては、携帯用端末機がパワーオフ（ｐｏｗｅｒｏｆｆ）される現象も発生される。従って、従来には、ＤＳＰの処理量（Ｔｈｒｏｕｇｈｐｕｔ）を減少させるために、使用者が手動で前記ＤＳＰの使用量を増加させる要因（ｆａｃｔｏｒ）または資源（ｒｅｓｏｕｒｃｅ）をディセイブル（ｄｉｓａｂｌｅ）しなければならないが、一般の使用者が前記資源または要素をディセイブルすることは難しいだけでなく、使用者が使用し得るインターフェースが提供されないこともあるという問題点があった。
【０００８】
また、使用者がスペック（Ｖ．２５ｔｅｒ等；ａｔ　ｃｏｍｍａｎｄの基本スペシフィケイション）の詳細内容をよく知っていて、”ａｔ　ｃｏｍｍａｎｄ”を使用してユーザーの望む仕様の値を設定するとしても、ＰＣ（ｐｅｒｓｏｎａｌ　ｃｏｍｐｕｔｅｒ）、ＰＤＡ（ｐｅｒｓｏｎａｌ　ｄｉｇｉｔａｌ　ａｓｓｉｓｔａｎｔ；個人携帯情報端末機）などのデータ端末装置（Ｄａｔａ　Ｔｅｒｍｉｎａｌ　Ｅｑｕｉｐｍｅｎｔ；ＤＴＥ）と連動する応用領域では、自体のプログラムによる端末機の初期化命令語（例えば、ｆａｃｔｏｒｙ　ｒｅｓｅｔ）を受けるとしても、適用が不可能であって、実際的にＤＳＰの処理量を減少し得ないという問題点があった。即ち、従来には、ネットワーク環境が不安定な場合、携帯用端末機が、ネットワーク観点でメモリー、ＦＩＦＯ（ｆｉｒｓｔ−ｉｎｆｉｒｓｔ−ｏｕｔ）の大きさ、データフレーム（ｄａｔａ　ｆｒａｍｅ）の大きさ、ＤＳＰ（データ圧縮可否、ＤＴＸ；Ｄｉｓｃｏｎｔｉｎｕｏｕｓ　Ｔｒａｎｓｍｉｓｓｉｏｎの使用等）に影響を与えられる各資源（要因）の適用可否を決定するための固定された基本値を使用して通信状態を設定し、よって、効率的な資源使用が不可能であった。
【０００９】
また、従来には、ＤＴＥ（ＰＣ、ＰＤＡ、その他の端末機等）と連動する応用である場合、使用者がＩＴＵ（Ｉｎｔｅｒｎａｔｉｏｎａｌ　Ｔｅｌｅｃｏｍｍｕｎｉｃａｔｉｏｎ　Ｕｎｉｏｎ；ＩＴＵ）Ｖ．２５ｔｅｒ、ＧＳＭ（Ｇｒｏｕｐ　Ｓｐｅｃｉａｌ　Ｍｏｂｉｌｅ；ＧＳＭ）０７．０７、ＧＳＭ０７．０５などのインターフェースを適用することもできるが、この場合、技術的なスペック事項を正確に把握して手動で適用しなければならないため、正確なスペック設定は不可能であった。
【００１０】
また、従来には、ＤＴＥの応用プログラムと連動して使用する場合、応用プログラムの特性により、端末機の基本値でリセット（ｒｅｓｅｔ）される現象が非定期的に発生するが、このような場合、使用者がスペックに関する内容を正確に知っているとしても、使用者の適用しようとするスペックが応用プログラムにより再び自動的に変更されることで、円滑なスペック適用が不可能であった。
【００１１】
【発明が解決しようとする課題】
以上説明したように、このような従来携帯用端末機においては、効率的な資源使用が不可能であり、ＤＳＰの処理量を減らし得ないという不都合な点があった。
【００１２】
且つ、ＤＳＰが処理し得る能力以上の条件の場合、ＤＳＰの処理量（ｔｈｒｏｕｇｈｐｕｔ）が減少するだけでなく、ネットワークが不安定な場合、通話音質が低下したり、通話不能状態になる事もあり、延いては、携帯用端末機がパワーオフ（ｐｏｗｅｒ　ｏｆｆ）される現象が発生するという不都合な点があった。
【００１３】
本発明は、このような従来の課題に鑑みてなされたもので、ネットワークの状態によって携帯用端末機のＤＳＰ使用量を自動的に調整することで、携帯用端末機を自動的に最適の状態に設定し、使用者に安定的な通信サービスを提供する携帯用端末機のＤＳＰ使用量調整方法及びその装置を提供することを目的とする。
【００１４】
【課題を解決するための手段】
本発明の携帯用端末機のＤＳＰ使用量調整方法は、ネットワークから受信レベルデータ及び受信品質データを受信する段階と、それら受信された受信レベルデータの値及び受信された受信品質データの値を予め格納された基準値と比較して、その比較結果に基づいて現在のＤＳＰ（Ｄｉｇｉｔａｌ　ｓｉｇｎａｌ　ｐｒｏｃｅｓｓｉｎｇ）の使用量を調整する（ａｄｊｕｓｔｉｎｇ）段階と、を順次行うことを特徴とする携帯用端末機のＤＳＰ使用量調整方法。
【００１５】
前記現在のＤＳＰの使用量を調整する段階は、前記ＤＳＰの最大使用量を予め格納する段階と、前記現在のＤＳＰの使用量を前記予め格納されたＤＳＰの最大使用量以下に調整する段階と、を順次行うことを特徴とする。
【００１６】
前記現在のＤＳＰの使用量を調整する段階は、　前記比較結果に基づいてネットワーク環境が不安定な状態（ｕｎｓｔａｂｌｅ　ｓｔａｔｅ）と判断されると、各資源による前記現在のＤＳＰの使用量を調整する段階を行うことを特徴とする。
【００１７】
前記現在のＤＳＰの使用量を調整する段階は、前記比較結果に基づいてネットワーク環境が不安定な状態（ｕｎｓｔａｂｌｅ　ｓｔａｔｅ）と判断されると、各資源による前記現在のＤＳＰの使用量を計算する段階と、その計算されたＤＳＰの使用量を予め格納されたＤＳＰの最大使用量以下に調整する段階と、を順次行うことを特徴とする。
【００１８】
前記現在のＤＳＰの使用量は、
ｎ個の資源によるＤＳＰの標準使用量を順次合わせた値を待機状態のＤＳＰの使用量と合わせた値であることを特徴とする。
【００１９】
前記現在のＤＳＰの使用量を調整する段階は、受信レベルの第１基準値、受信品質の第２基準値、待機状態におけるＤＳＰの使用量及び前記ＤＳＰの最大使用量を予め設定して格納する段階と、前記受信レベルデータ値が前記第１基準値より小さいか、または前記受信品質データ値が前記第２基準値より大きいと、各資源によるＤＳＰの使用量を計算する段階と、その計算されたＤＳＰ使用量と前記予め格納された待機状態におけるＤＳＰの使用量とを合算して、前記現在のＤＳＰの使用量を計算する段階と、その計算された現在のＤＳＰの使用量を前記予め格納されたＤＳＰの最大使用量以下に調整する段階と、を順次行うことを特徴とする。
【００２０】
前記現在のＤＳＰの使用量は、ｎ個の資源によるＤＳＰの標準使用量を順次合わせた値を前記待機状態のＤＳＰの使用量と合わせた値であることを特徴とする。
【００２１】
本発明の携帯用端末機のＤＳＰ使用量調整装置は、受信レベル及び受信品質に対する基準値を予め格納する格納部と、ネットワークから受信レベルデータ及び受信品質データを受信する無線通信部と、それら受信された受信レベルデータ及び受信品質データを前記予め格納された基準値と比較して、その比較結果に基づいて各資源による現在のＤＳＰの使用量を調整するマイクロコンピューターと、を含んで構成されることを特徴とする。
【００２２】
前記マイクロコンピューターは、前記比較結果に基づいてネットワーク環境が不安定な状態（ｕｎｓｔａｂｌｅ　ｓｔａｔｅ）と判断されると、各資源に対する前記現在のＤＳＰの使用量を調整する段階を行うことを特徴とする。
【００２３】
前記格納部は、待機状態のＤＳＰの使用量、前記ＤＳＰの最大使用量を更に予め格納することを特徴とする。
【００２４】
前記マイクロコンピューターは、前記比較結果に基づいてネットワーク環境が不安定な状態（ｕｎｓｔａｂｌｅ　ｓｔａｔｅ）と判断されると、ｎ個の資源によるＤＳＰの標準使用量を順次合わせて前記現在のＤＳＰの使用量を計算し、その計算された現在のＤＳＰの使用量を前記予め格納されたＤＳＰの最大使用量以下に調整することを特徴とする
前記マイクロコンピューターは、前記受信レベルデータ値が前記受信レベルに対する基準値より小さいか、または、前記受信品質データ値が前記受信品質に対する基準値より大きいと、前記各資源によるＤＳＰの使用量を計算し、その計算されたＤＳＰ使用量と前記予め格納された待機状態におけるＤＳＰの使用量とを合算して前記現在のＤＳＰの使用量を計算し、その計算された現在のＤＳＰの使用量を前記予め格納されたＤＳＰの最大使用量以下に調整することを特徴とする。
【００２５】
前記マイクロコンピューターは、前記受信レベルデータの値と第１基準値とを比較し、前記受信品質データの値と第２基準値とを比較し、その比較結果を出力する比較器と、その比較結果に基づいて前記受信レベルデータの値が前記第１基準値より小さいか、または、前記受信品質データの値が前記第２基準値より大きいと、資源によるＤＳＰの使用量を計算する使用量計算部と、前記待機状態のＤＳＰの使用量と前記使用量計算部から計算されたＤＳＰの使用量とを合算して、前記現在のＤＳＰ使用量を計算する足し算器と、該足し算器から計算された現在のＤＳＰの使用量を前記予め格納されたＤＳＰの最大使用量以下に調整する使用量調整部と、から構成されることを特徴とする。
【００２６】
前記現在のＤＳＰの使用量は、ｎ個の資源によるＤＳＰの標準使用量を順次合わせた値であることを特徴とする。
【００２７】
このような目的を達成するため、本発明に係る携帯用端末機のＤＳＰ使用量調整方法においては、ネットワークから受信レベルデータ及び受信品質データを受信する段階と、それら受信された受信レベルデータの値及び受信された受信品質データの値を予め格納された基準値と比較して、その比較結果に基づいて現在のＤＳＰ（Ｄｉｇｉｔａｌ　ｓｉｇｎａｌ　ｐｒｏｃｅｓｓｉｎｇ）の使用量を調整する（ａｄｊｕｓｔｉｎｇ）段階と、を順次行うことを特徴とする。
【００２８】
且つ、本発明に係る携帯用端末機のＤＳＰ使用量調整装置においては、受信レベル及び受信品質に対する基準値を予め格納する格納部と、ネットワークから受信レベルデータ及び受信品質データを受信する無線通信部と、それら受信された受信レベルデータ及び受信品質データを前記予め格納された基準値と比較して、その比較結果に基づいて各資源による現在のＤＳＰの使用量を調整するマイクロコンピューターと、を含んで構成されることを特徴とする。
【００２９】
【発明の実施の形態】
以下、ネットワークから受信レベルデータ及び受信品質データを受信して、それら受信された受信レベルデータの値及び受信された受信品質データの値を予め格納された基準値と比較して、その比較結果に基づいて現在のＤＳＰ（Ｄｉｇｉｔａｌ　ｓｉｇｎａｌ　ｐｒｏｃｅｓｓｉｎｇ）の使用量（処理量）を調整することで、携帯用端末機を自動的に最適化（ｏｐｔｉｍｉｚａｔｉｏｎ）することができ、使用者に安定的な通信サービスを提供し得る携帯用端末機のＤＳＰ使用量を調整する方法及びその装置の好ましい実施形態に対し、図１〜図３を用いて説明する。
【００３０】
図１は本発明に係る携帯用端末機のＤＳＰ使用量調整装置の構成を示したブロック図である。
【００３１】
図示されたように、前記携帯用端末機のＤＳＰ使用量を調整する装置１００は、受信レベルに対応する第１基準値（ｂａｓｉｓ　ｖａｌｕｅ）（Ｓ１）、受信品質（ｑｕａｌｉｔｙ）に対応する第２基準値（Ｓ２）、待機状態（ｗａｉｔ　ｃｏｎｄｉｔｉｏｎ、ｗａｉｔ　ｓｔａｔｅ）におけるＤＳＰの使用量（ｕｓａｇｅ）（ＤＳＰｂａｓｅ）、及び前記ＤＳＰの最大使用量（ＤＳＰｍａｘ）を予め格納するメモリー１０と、ネットワークから周期的に受信レベルデータ（ＲｘＬｅｖ）及び受信品質（ｑｕａｌｉｔｙ）データ（ＲｘＱｕａｌ）を受信する無線通信部２０と、該無線通信部２０から受信された受信レベルデータ（ＲｘＬｅｖ）の値と前記第１基準値（Ｓ１）とを比較し、前記受信された受信品質データ（ＲｘＱｕａｌ）の値と第２基準値（Ｓ２）とを比較し、それら比較結果に基づいてネットワーク環境が不安定な状態（ｕｎｓｔａｂｌｅ　ｓｔａｔｅ）と判断されると、各資源による現在のＤＳＰの使用量（Ｘ）を計算して、その計算された現在のＤＳＰの使用量（Ｘ）を前記予め格納されたＤＳＰの最大使用量（ＤＳＰｍａｘ）以下に調整する（Ａｄｊｕｓｔｉｎｇ）マイクロコンピュータ３０と、を含んで構成されている。この時、前記現在のＤＳＰの使用量（Ｘ）はｎ個の資源によるＤＳＰの標準使用量を順次合わせた値である。
【００３２】
以下、前記マイクロコンピュータ３０の構成に対して、図２を用いて説明する。
【００３３】
図２は、本発明に係る携帯用端末機のＤＳＰ使用量調整装置のマイクロコンピュータの構成を示したブロック図である。
【００３４】
図示されたように、前記マイクロコンピュータ３０は、前記受信レベルデータ（ＲｘＬｅｖ）の値と前記第１基準値（Ｓ１）とを比較し、その比較結果を出力する比較器３１と、前記受信品質データ（ＲｘＱｕａｌ）の値と前記第２基準値（Ｓ２）とを比較し、その比較結果を出力する比較器３２と、それら比較器３１、３２から出力された比較結果に基づいて前記受信レベルデータ（ＲｘＬｅｖ）の値が前記第１基準値（Ｓ１）より小さいか、または、前記受信品質データ（ＲｘＱｕａｌ）の値が前記第２基準値（Ｓ２）より大きい場合、各資源によるＤＳＰの使用量（ｆｉ）を計算する使用量計算部３３と、前記予め格納された待機状態のＤＳＰの使用量（ＤＳＰｂａｓｅ）と前記使用量計算部３３から計算されたＤＳＰの使用量（ｆｉ）とを合算して、現在のＤＳＰの使用量（Ｘ）を計算する足し算器３４と、該足し算器３４から計算された現在のＤＳＰの使用量（Ｘ）を前記予め格納されたＤＳＰの最大使用量（ＤＳＰｍａｘ）以下に調整する使用量調整部３５と、から構成されている。
【００３５】
本発明に係る前記ＤＳＰ（Ｄｉｇｉｔａｌ　Ｓｉｇｎａｌ　Ｐｒｏｃｅｓｓｉｎｇ）とは、通信の正確性及び信頼度を高めるための多様なデジタル信号処理技術を表す。然し、前記ＤＳＰの処理過程に影響を与える様々な要因（ｆａｃｔｏｒ）がある。即ち、前記携帯用端末機においては、音声に関連された全てのデジタルデータ処理、ハンドオーバー（ｈａｎｄ−ｏｖｅｒ）、音声コーデック（ｃｏｄｅｃ）の種類、データ圧縮（ｄａｔａ　ｃｏｍｐｒｅｓｓｉｏｎ）可否、及びＤＴＸ（Ｄｉｓｃｏｎｔｉｎｕｏｕｓ　Ｔｒａｎｓｍｉｓｓｉｏｎ）使用可否などがある。
【００３６】
従って、本発明に係る携帯用端末機は、自体が属している無線インターフェース（ｒａｄｉｏ　ｉｎｔｅｒｆａｃｅ）の状態を点検（ｃｈｅｃｋ）して、ネットワーク環境が安定した状態（ｓｔａｂｌｅ　ｓｔａｔｅ）または不安定な状態（ｕｎｓｔａｂｌｅ　ｓｔａｔｅ）であるかを判断して、その判断結果に基づいてネットワーク環境が不安定な状態と判断されると、モニターリングアルゴリズム（ｍｏｎｉｔｏｒｉｎｇ　ａｌｇｏｒｉｔｈｍ）を実行して前記ＤＳＰの使用量を調整する。
【００３７】
以下、本発明に係る携帯用端末機の資源最適化方法及びその装置の動作に対し、図３を用いて説明する。
【００３８】
図３は、本発明に係る携帯用端末機のＤＳＰ使用量調整方法を示したフローチャートである。
【００３９】
まず、前記受信レベルの基準値（Ｓ１）及び前記受信品質の基準値（Ｓ２）、待機状態のＤＳＰの使用量（ＤＳＰｂａｓｅ）、及び前記ＤＳＰの最大使用量（ＤＳＰｍａｘ）は、前記メモリー１０に予め格納される。この時、前記受信レベルの基準値（Ｓ１）及び前記受信品質の基準値（Ｓ２）、待機状態のＤＳＰの使用量（ＤＳＰｂａｓｅ）、及び前記ＤＳＰの最大使用量（ＤＳＰｍａｘ）に対応する値（データ）は、製造業体で予め実験して測定した標準値である。
【００４０】
次いで、前記無線通信部２０は、ネットワークまたは基地局（Ｂａｓｅ　ｓｔａｔｉｏｎ　Ｔｒａｎｓｃｅｉｖｅｒ　Ｓｙｓｔｅｍ；ＢＴＳ）からネットワーク環境が安定した状態（ｓｔａｂｌｅ　ｓｔａｔｅ）であるか、または不安定な状態（ｕｎｓｔａｂｌｅ　ｓｔａｔｅ）であるかを判断するための受信レベルデータ（ＲｘＬｅｖ）及び受信品質データ（ＲｘＱｕａｌ）を周期的に受信して、それら受信された受信レベルデータ（ＲｘＬｅｖ）の値及び受信品質データ（ＲｘＱｕａｌ）の値を前記マイクロコンピュータ３０に出力する（ステップＳＴ３１）。
【００４１】
該マイクロコンピュータ３０の比較器３１は、前記受信レベルデータ（ＲｘＬｅｖ）の値と前記メモリー１０に予め格納された第１基準値（Ｓ１）とを比較して、その比較結果を前記使用量計算部３３に出力する。この時、前記マイクロコンピュータ３０の比較器３２は、前記受信品質データ（ＲｘＱｕａｌ）の値と前記メモリー１０に予め格納された第２基準値（Ｓ２）とを比較して、その比較結果を前記使用量計算部３３に出力する。
【００４２】
該使用量計算部３３は、前記各比較器３１、３２から出力された比較結果に基づいて、前記受信レベルデータ（ＲｘＬｅｖ）の値が前記第１基準値（Ｓ１）より小さかったり、または、前記受信品質データ（ＲｘＱｕａｌ）の値が前記第２基準値（Ｓ２）より大きいと、前記ネットワーク環境が不安定な状態（ｕｎｓｔａｂｌｅ　ｓｔａｔｅ）であると決定する（ステップＳＴ３２）。また、前記使用量計算部３３は、前記ネットワーク環境が不安定な状態（ｕｎｓｔａｂｌｅ　ｓｔａｔｅ）であると、前記各資源によるＤＳＰの使用量（ｆｉ）を計算して、その計算されたＤＳＰの使用量（ｆｉ）を前記足し算器３４に出力する（ステップＳＴ３３）。
【００４３】
該足し算器３４は、前記メモリー１０に予め格納された待機状態のＤＳＰの使用量（ＤＳＰｂａｓｅ）と前記使用量計算部３３から計算されたＤＳＰの使用量（ｆｉ）とを合算して、現在のＤＳＰの使用量（Ｘ）を計算し、その計算された現在のＤＳＰの使用量（Ｘ）を前記使用量調整部３５に出力する。この時、前記合算されたＤＳＰの使用量は、現在のＤＳＰの使用量（Ｘ）である。即ち、前記現在のＤＳＰの使用量（Ｘ）とは、前記ＤＳＰの使用量を増加させるｎ個の資源に対するＤＳＰ標準使用量（ｆｉ；１＜ｉ＜ｎ）を順次合算した値か、または、前記順次合算された値に前記待機状態のＤＳＰの使用量（ＤＳＰｂａｓｅ）を合算した値である。また、前記各資源によるＤＳＰの使用量（ｆｉ）は、前記携帯用端末機の基本性能に影響を与えず、必修要因でなく致命的でない機能の順に前記メモリー１０に格納される（ステップＳＴ３４、ステップＳＴ３５）。この時、前記ＤＳＰの処理量が増加または減少すると、前記ＤＳＰの使用量も増加または減少するため、前記ＤＳＰの処理量と前記ＤＳＰの使用量とは同様な意味になる。
【００４４】
次いで、前記使用量調整部３５は、前記足し算器３４から出力された前記現在のＤＳＰの使用量（Ｘ）と前記メモリー１０に予め格納されたＤＳＰの最大使用量（ＤＳＰｍａｘ）とを比較する（ステップＳＴ３７）。即ち、前記使用量調整部３５は、前記現在のＤＳＰの使用量（Ｘ）が前記ＤＳＰの最大使用量（ＤＳＰｍａｘ）以上か、または同様である時、前記現在のＤＳＰの使用量（Ｘ）を前記ＤＳＰの最大使用量（ＤＳＰｍａｘ）以下に調整したり、または、前記使用量計算部３３（ＤＳＰ使用量を増加させる特定の資源をディセイブルする）から計算されたＤＳＰの使用量（ｆｉ）をディセイブル（ｄｉｓａｂｌｅ）して端末環境（ｔｅｒｍｉｎａｌ　ｅｎｖｉｒｏｎｍｅｎｔ）を調整する（ステップＳＴ３８）。この時、前記ＤＳＰの最大使用量（ＤＳＰｍａｘ）は、端末機製造業体で実験して予め測定された標準値であり、この値の範囲は、端末機がデジタル信号を適切に処理するための最大値である。
【００４５】
一方、前記現在のＤＳＰの使用量（Ｘ）が前記ＤＳＰの最大使用量（ＤＳＰｍａｘ）以下か、または前記過程（ステップＳＴ３８）が終了されると、各資源によるＤＳＰの使用量が演算され、その演算されたＤＳＰ使用量は前記過程（ステップＳＴ３４）を通して合算される（ステップＳＴ３６）。
【００４６】
従って、本発明は、ネットワーク環境に対するデータ（ＲｘＬｅｖ）（ＲｘＱｕａｌ）値を各基準値（Ｓ１、Ｓ２）と比較して、ネットワーク環境が不安定な状態であると、前記メモリー１０に予め格納されたデータベース（Ｓ１、Ｓ２、ＤＳＰｂａｓｅ、ＤＳＰｍａｘ）に基づいて前記現在のＤＳＰの使用量（Ｘ）を計算し、その計算された現在のＤＳＰの使用量（Ｘ）が前記予め格納されたＤＳＰの最大使用量（ＤＳＰｍａｘ）を越える場合、前記ＤＳＰの処理量を最高に増加させながら、致命的でない各資源を順次ディセイブルしたり、前記現在のＤＳＰの使用量（Ｘ）を前記ＤＳＰの最大使用量（ＤＳＰｍａｘ）以下に調整するものである。
【００４７】
【発明の効果】
以上説明したように、本発明は、ネットワーク環境によってＤＳＰの使用量を前記ＤＳＰの最大使用量（ＤＳＰｍａｘ）以下に自動的に調整したり、または、ＤＳＰ使用量を増加させる特定の資源をディセイブルすることで、携帯用端末機を自動的に最適の状態に設定し得るという効果がある。
【００４８】
且つ、本発明は、ネットワーク環境によってＤＳＰの使用量を前記ＤＳＰの最大使用量（ＤＳＰｍａｘ）以下に自動的に調整したり、または、ＤＳＰ使用量を増加させる特定の資源をディセイブルすることで、使用者に安定的な通信サービスを提供し得るという効果がある。
【００４９】
且つ、本発明は、ネットワーク環境によってＤＳＰの使用量を自動的に調整することで、各資源または要因（データ圧縮可否、ＤＴＸ；Ｄｉｓｃｏｎｔｉｎｕｏｕｓ　Ｔｒａｎｓｍｉｓｓｉｏｎ使用等）の適用可否を決定するための基本値を固定させる必要がなく、他のネットワークにおいても、端末機で効率的な資源管理を実行することで、使用者に安定的な通信サービスを提供し得るという効果がある。
【図面の簡単な説明】
【図１】本発明に係る携帯用端末機のＤＳＰ使用量調整装置の構成を示したブロック図である。
【図２】本発明に係る携帯用端末機のＤＳＰ使用量調整装置のマイクロコンピュータの構成を示したブロック図である。
【図３】本発明に係る携帯用端末機のＤＳＰ使用量調整方法を示したフローチャートである。
【符号の説明】
１０　メモリー
２０　無線通信部
３０　マイクロコンピュータ
３１　比較器
３２　比較器
３３　使用量計算部
３４　足し算器
３５　使用量調整部
【図１】
2004007404.tif 000003
【図２】
2004007404.tif 000004
【図３】
2004007404.tif 000005